(57)【要約】【課題】  格段と効率的にコンテンツデータを取得し得るようにする。【解決手段】  クライアント端末２にダウンロードされた音楽データ（出力禁止音楽データ）は正式購入されない限り外部へ出力されず、しかも当該クライアント端末２のユーザが所定の定額料金を支払うように登録されている期間しか再生することができないので、この結果著作権者等の利益を著しく害してしまうことを回避することができ、またクライアント端末２は、当該音楽データをダウンロードするための処理を何度も行わなくて良いので、この結果格段と効率的に音楽データを取得することができる。【選択図】          図１
2005331680.tif 000002
【特許請求の範囲】
【請求項１】
コンテンツデータを再生するコンテンツデータ再生装置であって、
当該コンテンツデータ再生装置が登録されているか否かの確認要求をするための確認要求信号を登録確認装置に対して送信する送信手段と、
上記登録確認装置から、当該コンテンツデータ再生装置が登録されている旨の登録確認信号を受信する受信手段と、
外部への記録が禁止されたコンテンツデータを提供するコンテンツデータ提供装置から取得した上記コンテンツデータを記憶する記憶手段と、
上記受信手段により上記登録確認信号を受信した場合、上記記憶手段に記憶している上記コンテンツデータを再生可能に設定する設定手段と、
上記設定手段によって上記記憶されているコンテンツデータが再生可能に設定されている間に、所定の入力手段を介して当該コンテンツデータの再生命令が入力されると、当該コンテンツデータを再生する再生手段と
を具えることを特徴とするコンテンツデータ再生装置。
【請求項２】
外部への記録を禁止する旨の属性情報が対応付けられている上記コンテンツデータを購入する操作が行われると、当該コンテンツデータを購入する旨を通知する購入通知信号を所定のコンテンツデータ販売装置に対し送信し、上記コンテンツデータ販売装置から当該コンテンツデータを販売した旨を通知する販売通知信号を受信すると、当該コンテンツデータの上記属性情報を、外部への記録を許可するように変更する
ことを特徴とする請求項１に記載のコンテンツデータ再生装置。
【請求項３】
外部への記録を許可するように変更された上記属性情報には、上記コンテンツデータを貸し出すように外部出力させることを許可する旨、又は、上記記憶手段に記憶している上記コンテンツデータを消去させつつ当該コンテンツデータを外部出力させることを許可する旨が示される
ことを特徴とする請求項２に記載のコンテンツデータ再生装置。
【請求項４】
電源が投入されたことを認識する度に上記送信手段を介して上記確認要求信号を上記登録確認装置へ送信する
ことを特徴とする請求項１に記載のコンテンツデータ再生装置。
【請求項５】
所定の記憶媒体に記憶されている上記コンテンツデータを読み出す読出手段を有し、当該読出手段により読み出した上記コンテンツデータを上記記憶手段に記憶させる
ことを特徴とする請求項１に記載のコンテンツデータ再生装置。
【請求項６】
上記コンテンツデータ提供装置から提供される上記コンテンツデータは、外部出力を禁止する旨の属性情報が対応付けられてなる
ことを特徴とする請求項１に記載のコンテンツデータ再生装置。
【請求項７】
コンテンツデータを外部へ出力する外部出力手段と、
上記コンテンツデータの上記属性情報に基づいて、当該コンテンツデータの外部出力が禁止されている旨を認識すると、当該コンテンツデータを外部出力させないように上記外部出力手段を制御する出力制御手段と
を具えることを特徴とする請求項６に記載のコンテンツデータ再生装置。
【請求項８】
コンテンツデータを再生するコンテンツデータ再生装置から、当該コンテンツデータ再生装置が登録されているか否かの確認要求をするための確認要求信号を受信する受信手段と、
上記コンテンツデータ再生装置を識別する装置識別情報と当該コンテンツデータ再生装置のユーザについての決済状況が示された決済状況情報とを対応付けて記憶する第１の記憶手段と、
上記受信した上記確認要求信号に示される上記装置識別情報に基づいて、上記第１の記憶手段を参照することにより、上記コンテンツデータ再生装置のユーザについて正常に決済が行われているか否かを判定する判定手段と、
上記判定手段の判定結果に応じて、上記コンテンツデータ再生装置が登録されている旨を示す登録確認信号を上記コンテンツデータ再生装置に対して送信する送信手段と
を具えることを特徴とする登録確認装置。
【請求項９】
コンテンツデータを記憶保持する第２の記憶手段と、
上記コンテンツデータ再生装置からの要求に応じて、上記第２の記憶手段により記憶保持している上記コンテンツデータを上記コンテンツデータ再生装置に対して送信するコンテンツデータ送信手段と
を具えることを特徴とする請求項８に記載の登録確認装置。
【請求項１０】
上記コンテンツデータ送信手段は、上記コンテンツデータ再生装置から外部への記録を禁止した上記コンテンツデータを、上記コンテンツデータ再生装置に対して送信する
ことを特徴とする請求項９に記載の登録確認装置。
【請求項１１】
コンテンツデータを再生するコンテンツデータ再生装置のコンテンツデータ再生方法であって、
当該コンテンツデータ再生装置が登録されているか否かの確認要求をするための確認要求信号を登録確認装置に対して送信する第１のステップと、
上記登録確認装置から、当該コンテンツデータ再生装置が登録されている旨の登録確認信号を受信する第２のステップと、
外部への記録が禁止されたコンテンツデータを提供するコンテンツデータ提供装置から取得した上記コンテンツデータを記憶手段に記憶する第３のステップと、
上記登録確認装置から上記登録確認信号を受信した場合、上記記憶手段に記憶している上記コンテンツデータを再生可能に設定する第４のステップと、
上記記憶されているコンテンツデータが再生可能に設定されている間に、所定の入力手段を介して当該コンテンツデータの再生命令が入力されると、当該コンテンツデータを再生する第５のステップと
を具えることを特徴とするコンテンツデータ再生装置のコンテンツデータ再生方法。
【請求項１２】
コンテンツデータを再生するコンテンツデータ再生装置から、当該コンテンツデータ再生装置が登録されているか否かの確認要求をするための確認要求信号を受信する第１のステップと、
上記受信した上記確認要求信号に示される、上記コンテンツデータ再生装置を識別する装置識別情報に基づいて、上記コンテンツデータ再生装置の上記装置識別情報と当該コンテンツデータ再生装置のユーザについての決済状況が示された決済状況情報とを対応付けて記憶する記憶手段を参照することにより、上記ユーザについて正常に決済が行われているか否かを判定する第２のステップと、
上記第２のステップの判定結果に応じて、上記コンテンツデータ再生装置が登録されている旨を示す登録確認信号を上記コンテンツデータ再生装置に対して送信する第３のステップと
を具えることを特徴とする登録確認装置の登録確認方法。
【請求項１３】
コンテンツデータを再生するコンテンツデータ再生装置に対し、
当該コンテンツデータ再生装置が登録されているか否かの確認要求をするための確認要求信号を登録確認装置に対して送信する第１のステップと、
上記登録確認装置から、当該コンテンツデータ再生装置が登録されている旨の登録確認信号を受信する第２のステップと、
外部への記録が禁止されたコンテンツデータを提供するコンテンツデータ提供装置から取得した上記コンテンツデータを記憶手段に記憶する第３のステップと、
上記登録確認装置から上記登録確認信号を受信した場合、上記記憶手段に記憶している上記コンテンツデータを再生可能に設定する第４のステップと、
上記記憶されているコンテンツデータが再生可能に設定されている間に、所定の入力手段を介して当該コンテンツデータの再生命令が入力されると、当該コンテンツデータを再生する第５のステップと
を実行させるためのコンテンツデータ再生プログラム。
【請求項１４】
コンピュータに対し、
コンテンツデータを再生するコンテンツデータ再生装置から、当該コンテンツデータ再生装置が登録されているか否かの確認要求をするための確認要求信号を受信する第１のステップと、
上記受信した上記確認要求信号に示される、上記コンテンツデータ再生装置を識別する装置識別情報に基づいて、上記コンテンツデータ再生装置の上記装置識別情報と当該コンテンツデータ再生装置のユーザについての決済状況が示された決済状況情報とを対応付けて記憶する記憶手段を参照することにより、上記ユーザについて正常に決済が行われているか否かを判定する第２のステップと、
上記第２のステップの判定結果に応じて、上記コンテンツデータ再生装置が登録されている旨を示す登録確認信号を上記コンテンツデータ再生装置に対して送信する第３のステップと
を実行させるための登録確認プログラム。
【発明の詳細な説明】
【技術分野】
【０００１】
本発明はコンテンツデータ再生装置に関し、例えば、ＭＰ３（MPEG Audio Layer-3）形式等でなる音楽データを再生し得る再生装置に対し、インターネット等の通信路を介して様々な音楽データを提供し得るようになされた音楽データ提供システムに適用して好適なものである。
【背景技術】
【０００２】
近年、ＭＰ３形式等でなる音楽データを再生し得る再生装置に対し、インターネット等の通信路を介して、様々な音楽データを提供し得るようになされた音楽データ提供システムが普及している。（例えば特許文献１及び２参照）
【０００３】
例えばこのような音楽データ提供システムにおいて、ユーザは自身の所有する再生装置を操作して、音楽データ配信業者のＷｅｂページにアクセスし、当該Ｗｅｂページに示された多数の音楽データの中から所望の音楽データを選択する。この結果、音楽データ配信業者の音楽データ配信サーバからインターネットを介して当該選択された音楽データが再生装置へダウンロードされる。
【特許文献１】国際公開番号ＷＯ９９／４２９９６
【特許文献２】特開２００３−２２３５６９公報
【発明の開示】
【発明が解決しようとする課題】
【０００４】
ところで従来の音楽データ提供システムにおいては、一般的に１つ１つの音楽データに対して代金が課されている。このためユーザにとっては、多数の音楽データをダウンロードすると費用がかさんでしまうので、例えば試聴のために様々な音楽データを気軽にダウンロードするようなことが行いづらい。
【０００５】
この問題を解決するために従来の音楽データ提供システムにおいては、ユーザの試聴用として断片的な音楽データ（例えば音楽のサビ部分のみ）や、ストリーミング再生用の音楽データを、音楽データ配信サーバから再生装置へ無償でダウンロードすることが行われている。このようにすることにより、音楽データを作成した著作権者等の利益を著しく害することなく、ユーザに様々な音楽データを気軽に試聴させることができる。
【０００６】
ところでこの場合において従来の再生装置は、例えば試聴し終えたユーザにより音楽データを正式購入する正式購入操作が行われると、既にダウンロードした断片的な音楽データやストリーミング再生用の音楽データとは異なる正式な音楽データを、音楽データ配信サーバからダウンロードしなければならない。
【０００７】
従ってこの再生装置は、ユーザによる試聴時に断片的な音楽データ若しくはストリーミング再生用の音楽データをダウンロードする処理を行った上、正式購入操作が行われたときには正式な音楽データをダウンロードする処理をも行わなければならず、この結果、効率的に音楽データを取得できているとは言い難い問題があった。
【０００８】
本発明は以上の点を考慮してなされたもので、格段と効率的にコンテンツデータを取得し得るコンテンツデータ再生装置を提案しようとするものである。
【課題を解決するための手段】
【０００９】
かかる課題を解決するため本発明においては、コンテンツデータを再生するコンテンツデータ再生装置において、当該コンテンツデータ再生装置が登録されているか否かの確認要求をするための確認要求信号を登録確認装置に対して送信する送信手段と、登録確認装置から、当該コンテンツデータ再生装置が登録されている旨の登録確認信号を受信する受信手段と、外部への記録が禁止されたコンテンツデータを提供するコンテンツデータ提供装置から取得したコンテンツデータを記憶する記憶手段と、受信手段により登録確認信号を受信した場合、記憶手段に記憶しているコンテンツデータを再生可能に設定する設定手段と、設定手段によって記憶されているコンテンツデータが再生可能に設定されている間に、所定の入力手段を介して当該コンテンツデータの再生命令が入力されると、当該コンテンツデータを再生する再生手段とを設けるようにした。
【００１０】
また本発明においては、登録確認装置において、コンテンツデータを再生するコンテンツデータ再生装置から、当該コンテンツデータ再生装置が登録されているか否かの確認要求をするための確認要求信号を受信する受信手段と、コンテンツデータ再生装置を識別する装置識別情報と当該コンテンツデータ再生装置のユーザについての決済状況が示された決済状況情報とを対応付けて記憶する第１の記憶手段と、受信した確認要求信号に示される装置識別情報に基づいて、第１の記憶手段を参照することにより、コンテンツデータ再生装置のユーザについて正常に決済が行われているか否かを判定する判定手段と、判定手段の判定結果に応じて、コンテンツデータ再生装置が登録されている旨を示す登録確認信号をコンテンツデータ再生装置に対して送信する送信手段とを設けるようにした。
【００１１】
このようにして、外部への記録を禁止したコンテンツデータをコンテンツデータ再生装置に記憶保持させたまま、当該コンテンツデータ再生装置が登録されている期間のみ、当該コンテンツデータ再生装置を介してかかるコンテンツデータを再生させることができるようにした。
【発明の効果】
【００１２】
本発明によれば、コンテンツデータ再生装置に一度提供されたコンテンツデータは外部へ記録されず、しかも当該コンテンツデータ再生装置が登録されている期間しか再生することができないので、著作権者等の利益を著しく害してしまうことを回避することができ、またコンテンツデータ再生装置は、提供手段からコンテンツデータが一度提供されればこれを記憶保持し続けることができるので、当該コンテンツデータを取得するための処理を何度も行わなくて済む。この結果、著作権者等の利益を著しく害することなく、格段と効率的にコンテンツデータを取得することができる。
【発明を実施するための最良の形態】
【００１３】
以下図面について、本発明の一実施の形態を詳述する。
【００１４】
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ５とを有している。
【００１５】
この実施の形態の場合、音楽データ配信サーバＳＶ１は、ＡＴＲＡＣ３（Adaptive Transform Acoustic Coding 3）、ＡＣＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。
【００１６】
また物販サーバＳＶ２は、ＣＤ（Compact Disc）やＤＶＤ（Digital Versatile Disc）等をクライアント端末２を介してユーザに販売する物販サービスを提供する。
【００１７】
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００１８】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
【００１９】
これに加えて課金サーバＳＶ５は、ポータルサーバ３等からの要求に応じてユーザに対し様々な料金を課すための課金処理を実行するようになされている。
【００２０】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
【００２１】
入力処理部２１は、操作入力部２０から与えられる操作入力信号を特定の操作コマンドに変換しバス２２を介して制御部２３に送出する。
【００２２】
制御部２３は、バス２２を介して接続された各回路から与えられる操作コマンドや制御信号に基づいてこれら各回路の動作を制御する。
【００２３】
表示制御部２４は、バス２２を介して供給される映像データに対してディジタルアナログ変換処理を施し、その結果得られるアナログ映像信号を表示部２５に送出する。
【００２４】
表示部２５は、例えば液晶ディスプレイ等の表示デバイスであって、筐体表面に直接取り付けられている場合や外付けされている場合がある。
【００２５】
そして表示部２５は、制御部２３による処理結果や各種映像データが表示制御部２４を介してアナログ映像信号として供給されると、当該アナログ映像信号に基づく映像を表示する。
【００２６】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００２７】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
【００２８】
外部記録媒体記録再生部２８は、外部記録媒体からコンテンツデータとして映像データを読み出したとき、当該読み出した映像データをバス２２を介して表示制御部２４に供給する。
【００２９】
これにより表示制御部２４は、外部記録媒体記録再生部２８により外部記録媒体からコンテンツデータとして読み出された映像データをアナログ映像信号に変換して表示部２５に供給する。
【００３０】
また外部記録媒体記録再生部２８は、外部記録媒体からコンテンツデータとして音声データを読み出したとき、当該読み出した音声データをバス２２を介して音声制御部２６に供給する。
【００３１】
これにより音声制御部２６は、外部記録媒体記録再生部２８により外部記録媒体からコンテンツデータとして読み出された音声データをアナログ音声信号に変換してスピーカ２７に供給する。
【００３２】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
【００３３】
そして制御部２３は、記憶媒体２９からコンテンツデータとしてイメージデータ又はビデオデータ等の映像データを読み出したときには、当該読み出した映像データをバス２２を介して表示制御部２４に供給する。
【００３４】
また制御部２３は、記憶媒体２９からコンテンツデータとしてオーディオデータ等の音声データを読み出したときには、当該読み出した音声データをバス２２を介して音声制御部２６に供給する。
【００３５】
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００３６】
放送信号受信部３０は、各ラジオ局から送信されるラジオ放送波を受信し、チューナ部３１に供給する。
【００３７】
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
【００３８】
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
【００３９】
また制御部２３は、チューナ部３１で得られた音声データを記憶媒体２９に送出して記憶することにより、ラジオ番組の番組音声を録音することもできる。
【００４０】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種情報や各種データを送受信する。
【００４１】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
【００４２】
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
【００４３】
これによりエンコーダ／デコーダ部３４で圧縮符号化されたコンテンツデータは、制御部２３の制御のもと記憶媒体２９に記憶される。
【００４４】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
【００４５】
著作権管理部３５で生成された著作権管理情報は、制御部２３の制御のもとにコンテンツデータと対応付けられて記憶媒体２９に登録される。
【００４６】
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００４７】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００４８】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
【００４９】
認証情報記憶部３８は、認証処理部３７がポータルサーバ３やその他サーバＳＶ１乃至ＳＶ４に対しアクセスするときに必要となる認証情報を記憶する。
【００５０】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
【００５１】
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００５２】
（１−２−２）ディレクトリ管理
クライアント端末２の制御部２３は、記憶媒体２９に対して記憶するコンテンツデータを、図３に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
【００５３】
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
【００５４】
このようなコンテンツデータについてのディレクトリ管理は、記憶媒体２９に記憶されているデータベースファイルによって行われる。
【００５５】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。
【００５６】
通信制御部５２は、制御部５０の制御のもと、ネットワークインタフェース５３を介してクライアント端末２やその他サーバＳＶ１乃至ＳＶ５と各種情報を送受信する。
【００５７】
顧客データベース部５４には、音楽関連サービス提供システム１の運営業者とすでに契約を完了しているユーザのユーザＩＤ（Identification）情報とパスワード情報とが対応付けられて顧客情報として登録されている。
【００５８】
ページ情報記憶部５５には、音楽関連サービス提供システム１の運営業者が管理するページ情報等が記憶されている。
【００５９】
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００６０】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
【００６１】
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
【００６２】
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
【００６３】
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００６４】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
【００６５】
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００６６】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
【００６７】
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００６８】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。
【００６９】
通信制御部７２は、制御部７０の制御のもと、ネットワークインタフェース７３を介してクライアント端末２やポータルサーバ３等と各種情報や、コンテンツデータ等の各種データを送受信する。
【００７０】
顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００７１】
ページ情報記憶部７６には、音楽データ配信サーバＳＶ１が管理する、ダウンロード可能な音楽データを紹介する音楽データ配信用のページ情報等が記憶されている。
【００７２】
因みに音楽データ配信用のページ情報は、ＸＭＬ等の言語によって記述されており、クライアント端末２を利用するユーザに対してダウンロードを希望する音楽データを選択させることができる。
【００７３】
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００７４】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
【００７５】
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
【００７６】
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
【００７７】
このようにして認証処理部７５は、ユーザ認証処理が終了すると、そのユーザ認証処理の結果を示したサーバ認証結果情報（後述するサービスセッションＩＤ情報）を発行する。
【００７８】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
【００７９】
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
【００８０】
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００８１】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
【００８２】
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
【００８３】
そして検索部７９は、かかる検索キーに基づいて、音楽データ記憶部７８内の複数の音楽データの中から当該検索キーの示す検索条件に該当するダウンロード希望の音楽データを検索する。
【００８４】
これにより制御部７０は、その検索されたダウンロード希望の音楽データを通信制御部７２及びネットワークインタフェース７３を順次介してクライアント端末２に送信する。
【００８５】
また制御部７０は、このときクライアント端末２への音楽データのダウンロードに伴うユーザに対する課金処理用の課金情報を通信制御部７２及びネットワークインタフェース７３を順次介して課金サーバＳＶ５に送信することにより、課金サーバＳＶ５に対し当該ユーザに対する音楽データのダウンロードに応じた課金処理を実行させる。
【００８６】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。
【００８７】
通信制御部９２は、制御部９０の制御のもと、ネットワークインタフェース９３を介してクライアント端末２やポータルサーバ３等と各種情報を送受信する。
【００８８】
顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００８９】
ページ情報記憶部９６には、物販サーバＳＶ２が管理する、販売対象のＣＤやＤＶＤ等のパッケージメディアを紹介するパッケージメディア販売用のページ情報等が記憶されている。
【００９０】
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
【００９１】
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００９２】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
【００９３】
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
【００９４】
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
【００９５】
このようにして認証処理部９５は、ユーザ認証処理が終了すると、そのユーザ認証処理の結果を示したサーバ認証結果情報（後述するサービスセッションＩＤ情報）を発行する。
【００９６】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
【００９７】
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
【００９８】
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【００９９】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
【０１００】
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
【０１０１】
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
【０１０２】
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
【０１０３】
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【０１０４】
また制御部９０は、特定のパッケージメディアの購入に伴うユーザに対する課金処理用の課金情報を通信制御部９２及びネットワークインタフェース９３を順次介して課金サーバＳＶ５に送信することにより、課金サーバＳＶ５に対し当該ユーザに対する特定のパッケージメディアの購入に応じた課金処理を実行させる。
【０１０５】
さらに制御部９０は、課金サーバＳＶ５によるユーザに対する課金処理が完了すると、パッケージメディアの購入処理が完了したことを示す購入完了ページ情報を通信制御部９２及びネットワークインタフェース９３を順次介してクライアント端末２に送信する。
【０１０６】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。
【０１０７】
通信制御部１１２は、制御部１１０の制御のもと、ネットワークインタフェース１１３を介してクライアント端末２やポータルサーバ３等と各種情報を送受信する。
【０１０８】
顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【０１０９】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
【０１１０】
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
【０１１１】
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【０１１２】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
【０１１３】
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
【０１１４】
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
【０１１５】
これにより制御部１１０は、その検索された取得希望のオンエアリスト情報を通信制御部１１２及びネットワークインタフェース１１３を順次介してクライアント端末２に送信する。
【０１１６】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
【０１１７】
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【０１１８】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
【０１１９】
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
【０１２０】
このようにして認証処理部１１５は、ユーザ認証処理が終了すると、そのユーザ認証処理の結果を示したサーバ認証結果情報（後述するサービスセッションＩＤ情報）を発行する。
【０１２１】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
【０１２２】
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
【０１２３】
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
【０１２４】
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【０１２５】
（１−７）各サーバの処理概要
次に図８乃至図１３に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【０１２６】
（１−７−１）クライアント端末２及びポータルサーバ３間のユーザ認証処理手順
まず図８を用いて、クライアント端末２とポータルサーバ３との間で実行されるユーザ認証処理手順について説明する。
【０１２７】
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【０１２８】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
【０１２９】
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
【０１３０】
なおかかる認証セッションＩＤ情報については、ユーザ認証処理等に利用するうえで、ポータルサーバ３による発行時点を基準とした所定の有効期限（例えば１分程度）が設定されている。
【０１３１】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
【０１３２】
これによりポータルサーバ３は、過去に発行した認証セッションＩＤ情報が、音楽関連サービス提供システム１の運営業者と契約してはいないユーザによりユーザ認証処理等に対し不当に利用されることを防止している。
【０１３３】
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【０１３４】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
【０１３５】
そして認証処理部５６は、制御部５０の制御のもと、クライアント端末２から接続要求信号として受信された認証セッションＩＤ情報等に基づいてユーザ認証処理を実行する。
【０１３６】
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【０１３７】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【０１３８】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１３９】
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
【０１４０】
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１４１】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１４２】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
【０１４３】
そして認証処理部３７は、制御部２３の制御のもとに、ポータルサーバ３から受信されたその認証セッションＩＤ情報等を認証情報記憶部３８に一時記憶する。
【０１４４】
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【０１４５】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
【０１４６】
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【０１４７】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
【０１４８】
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【０１４９】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
【０１５０】
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
【０１５１】
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
【０１５２】
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【０１５３】
（１−７−２）クライアント端末２及び各サーバＳＶ１乃至ＳＶ３間のユーザ認証処理手順
次に、図９において、クライアント端末２と、音楽データ配信サーバＳＶ１、物販サーバＳＶ２及びラジオ放送情報配信サーバＳＶ３との間で実行するユーザ認証処理について以下に説明する。
【０１５４】
この場合、かかるユーザ認証処理としては、クライアント端末２が図８について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
【０１５５】
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【０１５６】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
【０１５７】
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
【０１５８】
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
【０１５９】
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【０１６０】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
【０１６１】
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
【０１６２】
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【０１６３】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
【０１６４】
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
【０１６５】
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【０１６６】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０１６７】
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
【０１６８】
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
【０１６９】
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【０１７０】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
【０１７１】
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【０１７２】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１７３】
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
【０１７４】
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
【０１７５】
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
【０１７６】
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
【０１７７】
そして制御部５０は、認証処理部５６により、クライアント端末２を利用するユーザが正規ユーザであると認証されると、後述するステップＳＰ１８に移る。
【０１７８】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【０１７９】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１８０】
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
【０１８１】
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１８２】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１８３】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
【０１８４】
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【０１８５】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【０１８６】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１８７】
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
【０１８８】
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
【０１８９】
そして制御部５０は、認証処理部５６により、クライアント端末２を利用するユーザが正規ユーザであると認証されると、次のステップＳＰ１８に移る。
【０１９０】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
【０１９１】
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
【０１９２】
これにより制御部５０は、認証チケット等を、認証処理部５６により有効期限の延長された認証セッションＩＤ情報等と共に通信制御部５２及びネットワークインタフェース５３を順次介してクライアント端末２に送信する。
【０１９３】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
【０１９４】
そして制御部２３は、そのポータルサーバ３から受信した認証チケット等を認証要求信号と共に通信制御部３２及びネットワークインタフェース３３を順次介して音楽データ配信サーバＳＶ１に送信する。
【０１９５】
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【０１９６】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
【０１９７】
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【０１９８】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
【０１９９】
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
【０２００】
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【０２０１】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
【０２０２】
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
【０２０３】
また制御部７０は、認証処理部７５によりそのクライアント端末２に対して発行されたサービスセッションＩＤ情報等を通信制御部７２及びネットワークインタフェース７３を順次介してクライアント端末２に送信する。
【０２０４】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
【０２０５】
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【０２０６】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０２０７】
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
【０２０８】
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
【０２０９】
そして制御部７０は、認証処理部７５により、クライアント端末２を利用するユーザが正規ユーザであると認証されると、次のステップＳＰ２５に移る。
【０２１０】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
【０２１１】
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【０２１２】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
【０２１３】
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
【０２１４】
またページ情報生成部３６は、音楽データ配信用のページ情報に基づく映像データを生成し、当該生成した映像データを表示制御部２４に送出する。
【０２１５】
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【０２１６】
（１−７−３）音楽関連サービス提供処理
続いて図１０乃至図１３において、図９について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【０２１７】
（１−７−３−１）音楽データ配信サービス提供処理手順
まず図１０を用いてクライアント端末２が、音楽データ配信サーバＳＶ１から音楽データ配信サービスの提供を受ける際の音楽データ配信サービス提供処理手順について説明する。
【０２１８】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
【０２１９】
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【０２２０】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
【０２２１】
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
【０２２２】
その結果、制御部７０は、認証処理部７５により、クライアント端末２を利用して音楽データのダウンロードを要求したユーザが正規ユーザであると認証されると、次のステップＳＰ３２に移る。
【０２２３】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
【０２２４】
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【０２２５】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【０２２６】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
【０２２７】
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２２８】
このようにしてクライアント端末２は、音楽データ配信サーバＳＶ１の提供している音楽データ配信サービスを利用して、ユーザにより取得の希望された音楽データをダウンロードすることができる。
【０２２９】
（１−７−３−２）物販サービス提供処理手順
次に図１１を用いてクライアント端末２が、物販サーバＳＶ２から物販サービスの提供を受ける際の物販サービス提供処理手順について説明する。
【０２３０】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
【０２３１】
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【０２３２】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
【０２３３】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２３４】
その結果、制御部９０は、認証処理部９５により、クライアント端末２を利用してパッケージメディアに関するパッケージメディア情報を要求したユーザが正規ユーザであると認証されると、次のステップＳＰ４２に移る。
【０２３５】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
【０２３６】
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【０２３７】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【０２３８】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
【０２３９】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２４０】
またページ情報生成部３６は、制御部２３から与えられたパッケージメディア情報に基づいて映像データを生成し、当該生成した映像データを表示制御部２４によりアナログ映像信号に変換して表示部２５に送出する。
【０２４１】
このようにして制御部２３は、表示部２５に対しそのアナログ映像信号に基づく映像としてパッケージメディア情報を表示させると、次のステップＳＰ４５に移る。
【０２４２】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
【０２４３】
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０２４４】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
【０２４５】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２４６】
その結果、制御部９０は、認証処理部９５により、クライアント端末２を利用してパッケージメディアの購入を要求したユーザが正規ユーザであると認証されると、次のステップＳＰ４７に移る。
【０２４７】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ５に送信することにより、その課金サーバＳＶ５に対し当該ユーザに対するパッケージメディアの購入に応じた課金処理を実行させる。
【０２４８】
また制御部９０は、認証処理部９５により、クライアント端末２に対し発行していたサービスセッションＩＤ情報等の有効期限を延長させる。
【０２４９】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０２５０】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
【０２５１】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２５２】
またページ情報生成部３６は、制御部２３から与えられた購入完了ページ情報に基づく映像データを生成し、当該生成した映像データを表示制御部２４によりアナログ映像信号に変換して表示部２５に送出する。
【０２５３】
これにより制御部２３は、表示部２５に対しそのアナログ映像信号に基づく映像として購入完了ページを表示させる。
【０２５４】
このようにしてクライアント端末２は、物販サーバＳＶ２の提供している物販サービスを利用して、ユーザに対して所望のパッケージメディアを購入させることができる。
【０２５５】
（１−７−３−３）オンエアリスト情報配信サービス提供処理手順
次に図１２を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０２５６】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
【０２５７】
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２５８】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
【０２５９】
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０２６０】
その結果、制御部１１０は、認証処理部１１５により、クライアント端末２を利用してオンエアリスト情報を要求したユーザが正規ユーザであると認証されると、次のステップＳＰ６２に移る。
【０２６１】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
【０２６２】
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０２６３】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０２６４】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
【０２６５】
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２６６】
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
【０２６７】
このようにしてクライアント端末２は、ラジオ放送情報配信サーバＳＶ３の提供しているラジオ放送情報配信サービスを利用して、ユーザに対して所望のオンエアリスト情報を取得させることができる。
【０２６８】
（１−７−３−４）ナウオンエア情報配信サービス提供処理手順
次に図１３を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０２６９】
ただしナウオンエア情報を提供するラジオ放送情報配信サーバＳＶ３は、ラジオ局（コールサイン）毎に設けられている。
【０２７０】
そしてクライアント端末２には、初期状態において、各ラジオ局に対応するラジオ放送情報配信サーバＳＶ３のＵＲＬ情報が記憶されていない場合がある。
【０２７１】
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
【０２７２】
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０２７３】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０２７４】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
【０２７５】
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
【０２７６】
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
【０２７７】
そして制御部５０は、このように認証処理部５６によりユーザが正規ユーザであると認証されると、次のステップＳＰ７２に移る。
【０２７８】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
【０２７９】
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０２８０】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
【０２８１】
これにより認証処理部３７は、制御部２３の制御のもと、ポータルサーバ３から受信された認証セッションＩＤ情報等を認証情報記憶部３８に一時記憶する。
【０２８２】
また表示制御部２４は、制御部２３から与えられた周波数情報、ラジオ局名及びコールサインのリストを表示部２５に送出することにより当該表示部２５に対しそのリストを表示させる。
【０２８３】
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０２８４】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
【０２８５】
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
【０２８６】
従って音声制御部２６は、チューナ部３１から与えられる音声データをアナログ音声信号に変換してスピーカ２７に送出することにより当該スピーカ２７から、選択されたラジオ番組の音声を出力させることができる。
【０２８７】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０２８８】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
【０２８９】
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
【０２９０】
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０２９１】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
【０２９２】
また制御部５０は、認証処理部５６により、クライアント端末２に対し発行していた認証セッションＩＤ情報等の有効期限を延長させる。
【０２９３】
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０２９４】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
【０２９５】
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
【０２９６】
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
【０２９７】
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２９８】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図９について上述したステップＳＰ１０の処理に対応している。
【０２９９】
従ってこのラジオ放送情報配信サービス提供処理手順では、ステップＳＰ７８の処理に引き続き、クライアント端末２及びラジオ放送情報配信サーバＳＶ３並びにポータルサーバ３において、図９について上述したステップＳＰ１１乃至ステップＳＰ１３及びステップＳＰ１８乃至ステップＳＰ２２と同様のユーザ認証処理を順次実行した後、続くステップＳＰ７９に移る。
【０３００】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３０１】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
【０３０２】
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０３０３】
その結果、認証処理部１１５は、クライアント端末２を利用するユーザを正規ユーザであると認証すると、当該クライアント端末２からのナウオンエア情報の取得要求が正当な要求であると判断する。
【０３０４】
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０３０５】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０３０６】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
【０３０７】
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０３０８】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
【０３０９】
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
【０３１０】
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０３１１】
（１−８）クライアント端末２のハードウェア回路ブロック構成
（１−８−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０３１２】
図１４に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
【０３１３】
入力処理部２０１は、供給される操作入力信号に対して所定の処理を施すことにより、当該操作入力信号を操作コマンドに変換し、これをバス２０２を介してＣＰＵ（Central Processing Unit）２０３に供給する。
【０３１４】
ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０３１５】
ディスプレイ２０６は、例えば液晶ディスプレイ等の表示デバイスであって、筐体表面に直接取り付けられている場合や外付けされている場合がある。
【０３１６】
そしてディスプレイ２０６は、ＣＰＵ２０３による処理結果や各種映像データが表示処理部２０７を介してアナログ映像信号として供給されると、当該アナログ映像信号に基づく映像を表示する。
【０３１７】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
【０３１８】
そしてメディアドライブ２０８は、ＣＤやメモリスティックからコンテンツデータとして映像データを読み出したときには、当該再生した映像データをバス２０２を介して表示処理部２０７に供給する。
【０３１９】
またメディアドライブ２０８は、ＣＤやメモリスティックからコンテンツデータとして音声データを読み出したときには、当該再生した音声データを音声処理部２０９に供給する。
【０３２０】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
【０３２１】
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０３２２】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
【０３２３】
因みにＣＰＵ２０３は、ハードディスクドライブ２１１に対して記憶したコンテンツデータを、図３について上述したディレクトリ構成で管理している。
【０３２４】
そしてＣＰＵ２０３は、ハードディスクドライブ２１１に記憶したコンテンツファイルを当該ハードディスクドライブ２１１からコンテンツデータとして読み出すこともできる。
【０３２５】
なおＣＰＵ２０３は、ハードディスクドライブ２１１からコンテンツデータとして映像データを読み出したときには、当該読み出した映像データをバス２０２を介して表示処理部２０７に供給する。
【０３２６】
またＣＰＵ２０３は、ハードディスクドライブ２１１からコンテンツデータとして音声データを読み出したときには、当該読み出した音声データを音声処理部２０９に供給する。
【０３２７】
アンテナ２１２は、各ラジオ局から送信されてくるラジオ放送波を受信し、これをＡＭ／ＦＭチューナでなるチューナ２１３に送出する。
【０３２８】
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
【０３２９】
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
【０３３０】
またＣＰＵ２０３は、チューナ２１３で得られた音声データをハードディスクドライブ２１１に送出して記録することにより、ラジオ番組の番組音声を録音することもできる。
【０３３１】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種データを送受信することができる。
【０３３２】
また本実施の形態の場合、このクライアント端末２は、外部機器接続部２１６を介して携帯型音楽再生装置等の各種外部機器と接続し、これにより各種データを当該接続した外部機器に対して出力することができるようになされている。
【０３３３】
（１−８−２）プログラムモジュール構成
図１５に示すように、上述の図１４に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ４との間でやりとりを行う。
【０３３４】
ＨＴＴＰ(Hyper Text Transfer Protocol)メッセージプログラム２４０は、ポータルサーバ３やその他サーバＳＶ１乃至ＳＶ４との間のやりとりをＨＴＴＰ通信で行うものであり、コミュニケータプログラム２４１は、ＨＴＴＰメッセージプログラム２４０とデータのやりとりを行うプログラムモジュールである。
【０３３５】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
【０３３６】
インターネットラジオ選局再生モジュール２４４と、楽曲購入再生モジュール２４５とにより再生された音声データは、音声処理部２０９に転送されることにより、最終的にスピーカ２１０から音声として出力される。
【０３３７】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
【０３３８】
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０３３９】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
【０３４０】
さらにコミュニケータプログラム２４１の上位には、データベースアクセスモジュール２４９、コンテンツデータアクセスモジュール２５０及びハードディスクコンテンツコントローラ２４７が位置する。
【０３４１】
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０３４２】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
【０３４３】
例えば、オーディオユーザインタフェース２５３を介して選局されたラジオ局から受信した楽曲は、コンテンツデータアクセスモジュール２５０を介してハードディスクドライブ２１１へ書き込まれるようになされている。
【０３４４】
またチューナ選局再生／録音モジュール２５２により再生されたコンテンツデータとしての音声データは、音声処理部２０９に転送されることにより、最終的にスピーカ２１０から音声として出力される。
【０３４５】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
【０３４６】
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０３４７】
ＣＤ再生モジュール２５４は、メディアドライブ２０８に対してＣＤを再生するように制御する。
【０３４８】
そしてＣＤ再生モジュール２５４によりＣＤから再生された音声データは、音声処理部２０９に転送されることにより、最終的にスピーカ２１０から音声として出力される。
【０３４９】
ＨＤＤ再生モジュール２５５は、図示はしていないが、ハードディスクコンテンツコントローラ２４７及び著作権保護管理モジュール２４３と接続されている。
【０３５０】
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
【０３５１】
そしてＨＤＤ再生モジュール２５５により著作権管理情報に従って再生された音声データは、音声処理部２０９に転送されることにより、最終的にスピーカ２１０から音声として出力される。
【０３５２】
リッピングモジュール２５６は、図示はしていないが、ハードディスクコンテンツコントローラ２４７及び著作権保護管理モジュール２４３と接続されている。
【０３５３】
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０３５４】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
【０３５５】
またコンテンツ再生モジュール２４２は、図２について上述したクライアント端末２のエンコーダ／デコーダ部３４と同様の機能を実現可能なプログラムモジュールである。
【０３５６】
さらに著作権保護管理モジュール２４３は、図２について上述したクライアント端末２の著作権管理部３５と同様の機能を実現可能なプログラムモジュールである。
【０３５７】
さらにインターネットラジオ選局再生モジュール２４４は、図２について上述したクライアント端末２の制御部２３及び音声制御部２６と同様の機能を実現可能なプログラムモジュールである。
【０３５８】
さらに楽曲購入再生モジュール２４５は、図２について上述したクライアント端末２の制御部２３及び音声制御部２６と同様の機能を実現可能なプログラムモジュールである。
【０３５９】
さらにＸＭＬブラウザ２４６は、図２について上述したクライアント端末２の入力処理部２１及びページ情報生成部３６と同様の機能を実現可能なプログラムモジュールである。
【０３６０】
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
【０３６１】
さらにライブラリ２４８の認証ライブラリ２４８Ａは、図２について上述したクライアント端末２の認証処理部３７及び認証情報記憶部３８と同様の機能を実現可能なプログラムモジュールである。
【０３６２】
さらにライブラリ２４８のクリップライブラリ２４８Ｂは、図２について上述したクライアント端末２の制御部２３と同様の機能を実現可能なプログラムモジュールである。
【０３６３】
さらにラジオ放送情報表示モジュール２５１は、図２について上述したクライアント端末２のラジオ放送表示制御部３９と同様の機能を実現可能なプログラムモジュールである。
【０３６４】
さらにチューナ選局再生／録音モジュール２５２は、図２について上述したクライアント端末２の制御部２３及び音声制御部２６並びにチューナ部３１と同様の機能を実現可能なプログラムモジュールである。
【０３６５】
さらにオーディオユーザインタフェース２５３は、図２について上述したクライアント端末２の入力処理部２１及び制御部２３並びに表示制御部２４と同様の機能を実現可能なプログラムモジュールである。
【０３６６】
さらにＣＤ再生モジュール２５４は、図２について上述したクライアント端末２の音声制御部２６及び外部記録媒体記録再生部２８と同様の機能を実現可能なプログラムモジュールである。
【０３６７】
さらにＨＤＤ再生モジュール２５５は、図２について上述したクライアント端末２の制御部２３及び音声制御部２６と同様の機能を実現可能なプログラムモジュールである。
【０３６８】
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０３６９】
従って図１４について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
【０３７０】
（１−９）各サーバのハードウェア回路ブロック構成
次に、ポータルサーバ３、音楽データ配信サーバＳＶ１、物販サーバＳＶ２、ラジオ放送情報配信サーバＳＶ３のハードウェア回路ブロックによるハードウェア構成について説明する。
【０３７１】
ただしこれらポータルサーバ３、音楽データ配信サーバＳＶ１、物販サーバＳＶ２、ラジオ放送情報配信サーバＳＶ３は、ハードウェア回路ブロックにより構成する場合、各種機能をソフトウェアによって実現可能であるため、同様のハードウェア構成とすることができる。
【０３７２】
従ってまず図１６を用いて、ポータルサーバ３、音楽データ配信サーバＳＶ１、物販サーバＳＶ２、ラジオ放送情報配信サーバＳＶ３のいずれにも適用可能なサーバのハードウェア回路ブロックによる基本的なハードウェア構成を説明する。
【０３７３】
かかるサーバは、全体を統括的に制御するＣＰＵ２７０が、ＲＯＭ２７１又はハードディスクドライブ２７２に記憶されている基本プログラムやアプリケーションプログラム等の各種プログラムを、バス２７３を介してＲＡＭ２７４に適宜展開しこれを実行することにより各種処理を行う。
【０３７４】
ハードディスクドライブ２７２には、コンテンツデータやネットワーク上で公開可能なページ情報等の各種データ及び情報を一時的又は永続的に記憶することができると共に、ハードディスク内にデータベースを構築して顧客情報等の各種登録情報を登録することもできる。
【０３７５】
またＣＰＵ２７０は、ハードディスクドライブ２７２から各種データ及び情報並びに各種登録情報を読み出し、当該読み出した各種データ及び情報並びに各種登録情報を用いて各種処理を実行することができる。
【０３７６】
ネットワークインタフェース２７５は、ネットワークＮＴを介してクライアント端末２や他のサーバと、各種データ及び各種情報の送受信用に接続することができる。
【０３７７】
そしてかかるサーバは、基本的にＣＰＵ２７０がＲＯＭ２７１又はハードディスクドライブ２７２に記憶された各種プログラムに従って各種処理を行っている。
【０３７８】
このためかかるサーバでは、図４について上述した機能回路ブロックによるハードウェア構成のポータルサーバ３の機能に応じて、ＲＯＭ２７１又はハードディスクドライブ２７２に記憶させる各種プログラムを適宜選定することにより、ＣＰＵ２７０を当該ポータルサーバ３の制御部５０、通信制御部５２及び認証処理部５６と同様に機能させることができると共に、ハードディスクドライブ２７２をそのポータルサーバ３の顧客データベース部５４、ページ情報記憶部５５、認証情報記憶部５７、周波数情報記憶部５８及びＵＲＬ記憶部５９と同様に用いることができる。
【０３７９】
またかかるサーバでは、図５について上述した機能回路ブロックによるハードウェア構成の音楽データ配信サーバＳＶ１の機能に応じて、ＲＯＭ２７１又はハードディスクドライブ２７２に記憶させる各種プログラムを適宜選定することにより、ＣＰＵ２７０を当該音楽データ配信サーバＳＶ１の制御部７０、通信制御部７２、認証処理部７５及び検索部７９と同様に機能させることができると共に、ハードディスクドライブ２７２をその音楽データ配信サーバＳＶ１の顧客データベース部７４、ページ情報記憶部７６、認証情報記憶部７７及び音楽データ記憶部７８と同様に用いることができる。
【０３８０】
さらにかかるサーバでは、図６について上述した機能回路ブロックによるハードウェア構成の物販サーバＳＶ２の機能に応じて、ＲＯＭ２７１又はハードディスクドライブ２７２に記憶させる各種プログラムを適宜選定することにより、ＣＰＵ２７０を当該物販サーバＳＶ２の制御部９０、通信制御部９２、認証処理部９５及び検索部９９と同様に機能させることができると共に、ハードディスクドライブ２７２をその物販サーバＳＶ２の顧客データベース部９４、ページ情報記憶部９６、認証情報記憶部９７及びパッケージメディア情報記憶部９８と同様に用いることができる。
【０３８１】
さらにかかるサーバでは、図７について上述した機能回路ブロックによるハードウェア構成のラジオ放送情報配信サーバＳＶ３の機能に応じて、ＲＯＭ２７１又はハードディスクドライブ２７２に記憶させる各種プログラムを適宜選定することにより、ＣＰＵ２７０を当該ラジオ放送情報配信サーバＳＶ３の制御部１１０、通信制御部１１２、認証処理部１１５及び検索部１１８と同様に機能させることができると共に、ハードディスクドライブ２７２をそのラジオ放送情報配信サーバＳＶ３の顧客データベース部１１４、ページ情報記憶部１１６、オンエアリスト情報記憶部１１７、ナウオンエア情報記憶部１１９及び認証情報記憶部１２０と同様に用いることができる。
【０３８２】
このようにしてかかるサーバは、ＲＯＭ２７１又はハードディスクドライブ２７２に記憶させる各種プログラムを適宜選定することにより、図４乃至図７について上述した機能回路ブロックによるハードウェア構成のポータルサーバ３、音楽データ配信サーバＳＶ１、物販サーバＳＶ２、ラジオ放送情報配信サーバＳＶ３の何れの機能をも、ハードウェア回路ブロックによるハードウェア構成で実現することができる。
【０３８３】
なお上述の実施の形態においては、クライアント端末２が受信可能な放送としてラジオ局から放送されるラジオ放送を適用したが、これに限らず、クライアント端末２がテレビジョン用の放送局から放送されるテレビジョン放送を受信し、そのテレビジョン放送のテレビジョン番組に関する各種放送情報等をネットワークＮＴ上のサーバから取得することも可能である。
【０３８４】
また上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしてもよく、これらハードウェア回路ブロック、機能回路ブロック及びプログラムモジュールを実装した端末であれば、上述したクライアント端末２と同様の処理を実現することができる。
【０３８５】
（２）出力禁止音楽データ利用サービス
（２−１）サービスの内容
ところで、図１に示す音楽データ配信サーバＳＶ１からクライアント端末２へダウンロードされる音楽データには、属性情報が付されている。
【０３８６】
この属性情報には、クライアント端末２から外部機器への出力を一切禁止する旨や、クライアント端末２から外部機器へ当該音楽データを貸し出すように出力（いわゆる「チェックアウト」）することを許可する旨や、クライアント端末２のハードディスクドライブ３１から当該音楽データを消去しつつ当該音楽データを外部へ出力する（いわゆる「ムーブ」）ことを許可する旨が示される。
【０３８７】
なお以下では、説明の便宜上、適宜、外部機器への出力を一切禁止する旨の属性情報を有する音楽データを出力禁止音楽データと呼び、チェックアウトを許可する旨の属性情報を有する音楽データをチェックアウト可能音楽データと呼び、ムーブを許可する旨の属性情報を有する音楽データをムーブ可能音楽データと呼び、チェックアウト及びムーブを許可する旨の属性情報を有する音楽データをチェックアウト・ムーブ可能音楽データと呼ぶ。
【０３８８】
ここで本実施の形態の場合、音楽データ配信サーバＳＶ１は、クライアント端末２にダウンロードさせるものとして、多数の出力禁止音楽データを記憶保持している。クライアント端末２のユーザは、音楽データ配信サーバＳＶ１の運営業者に対して定期的に所定の定額料金を支払うと、この出力禁止音楽データを自由にダウンロードしてこれを自由に再生し得るサービス（以下、これを出力禁止音楽データ利用サービスと呼ぶ）を利用できる。
【０３８９】
まず、ユーザはクライアント端末２の操作入力部２０を介して、出力禁止音楽データ利用サービスを利用するために登録すべき登録情報を入力する。これに応じてクライアント端末２は、入力された登録情報を音楽データ配信サーバＳＶ１へ送信する。
【０３９０】
本実施の形態の場合この登録情報には、当該ユーザのユーザ名や、当該クライアント端末２を識別するための端末ＩＤ情報や、当該ユーザから所定料金を徴収するために必要となるクレジットカードの番号等が示される。
【０３９１】
音楽データ配信サーバＳＶ１は、クライアント端末２からの登録情報を内部のデータベースに登録する。そしてこの後音楽データ配信サーバＳＶ１は、データベースに登録した登録情報に基づき、ユーザから所定の定額料金を徴収するための課金処理を定期的に課金サーバＳＶ５と連携して実行する。
【０３９２】
このようにしてクライアント端末２のユーザが、出力禁止音楽データ利用サービスを利用できるユーザとして、音楽データ配信サーバＳＶ１に登録されるようになされている。
【０３９３】
また音楽データ配信サーバＳＶ１は、かかる登録が終了した際、出力禁止音楽データ利用サービスの利用を許可する旨を示したサービス利用許可情報を、クライアント端末２に対して送信する。
【０３９４】
このサービス利用許可情報を受信したクライアント端末２は、サービス利用可能モードへ遷移する。サービス利用可能モードへ遷移したクライアント端末２は、ユーザのダウンロード操作に応じて音楽データ配信サーバＳＶ１から出力禁止音楽データをダウンロードし、またユーザの再生操作に応じて当該ダウンロードした出力禁止音楽データを再生する。
【０３９５】
因みにこのクライアント端末２は、音楽データ配信サーバＳＶ１からサービス利用許可情報を受信する前はサービス利用不可モードにあり、従ってユーザによりダウンロード操作が行われても音楽データ配信サーバＳＶ１から出力禁止音楽データを一切ダウンロードせず、また、以前に当該ダウンロード操作が行われてハードディスクドライブ３１に出力禁止音楽データが既に記憶保持されていたとしてもこれを一切再生しない。
【０３９６】
またこのクライアント端末２は、その電源がＯＦＦからＯＮになる度に、当該クライアント端末２のユーザが出力禁止音楽データ利用サービスを利用できるユーザとして登録されているか否かを、音楽データ配信サーバＳＶ１へ問い合わせる登録問い合わせ処理を実行する。これに応じて音楽データ配信サーバＳＶ１は、かかるユーザが出力禁止音楽データ利用サービスを利用できるユーザとして登録されているか否かを確認し、当該確認結果をクライアント端末２へ通知する。
【０３９７】
このクライアント端末２は、音楽データ配信サーバＳＶ１からのかかる通知に基づいて、ユーザが出力禁止音楽データ利用サービスを利用し得るように登録されていないことを認識するとサービス利用不可モードに遷移し、これに対してユーザが出力禁止音楽データ利用サービスを利用し得るように登録されていることを認識するとサービス利用可能モードへ遷移する。
【０３９８】
かくして、出力禁止音楽データ利用サービスの登録がされていて所定の定額料金を定期的に支払っているユーザは、自身のクライアント端末２を介して、音楽データ配信サーバＳＶ１から出力禁止音楽データを自由にダウンロードし得ると共に、当該ダウンロードした出力禁止音楽データを自由に再生し得る。一方、出力禁止音楽データ利用サービスの登録がされておらず所定の定額料金を定期的に支払っていないユーザは、自身のクライアント端末２を介して、音楽データ配信サーバＳＶ１から出力禁止音楽データをダウンロードすることができず、また、以前にダウンロードしたことによりハードディスクドライブ３１に出力禁止音楽データが記憶保持されていたとしてもこれを再生することもできない。
【０３９９】
かくして、所定の定額料金を支払っているユーザのみが、音楽データ配信サーバＳＶ１から様々な音楽データ（出力禁止音楽データ）を気軽にダウンロードして、これを試聴することができる。
【０４００】
ところで、ユーザがクライアント端末２の操作入力部２００を介して出力禁止音楽データを外部機器へ出力するための操作（チェックアウト操作及びムーブ操作に相当する）を行うと、このときクライアント端末２は、当該出力禁止音楽データに付された属性情報を参照し、これにより当該出力禁止音楽データについては外部への出力が禁止されている旨を認識し、その結果当該出力禁止音楽データを外部機器へ出力するための処理を実行しない。
【０４０１】
このようにして、出力禁止音楽データ利用サービスの登録をして所定の定額料金を支払っているユーザによりダウンロードされた出力禁止音楽データについては、クライアント端末２から外部へ出力されないようになされている。
【０４０２】
この後、ユーザにより操作入力部２００を介してクライアント端末２のハードディスクドライブ２１１に記憶保持されている出力禁止音楽データを正式に購入する正式購入操作が行われると、クライアント端末２は、当該出力禁止音楽データを正式に購入する旨を通知するための正式購入通知情報を、音楽データ配信サーバＳＶ１に対して送信する。
【０４０３】
音楽データ配信サーバＳＶ１は、クライアント端末２から正式購入通知情報を受信すると、これに基づいて当該出力禁止音楽データについての所定代金をユーザから徴収するための課金処理を課金サーバＳＶ５と連携して実行し、この課金処理を正常に終了するとこの旨をクライアント端末２に対して通知する。
【０４０４】
クライアント端末２は、音楽データ配信サーバＳＶ１からのかかる通知に基づいて、所定代金がユーザから徴収されたことを認識すると、当該出力禁止音楽データの属性情報を書き換え、これにより当該出力禁止音楽データをチェックアウト及びムーブが可能なチェックアウト・ムーブ可能音楽データに変更するようになされている。
【０４０５】
このようにして、音楽データ配信サーバＳＶ１からダウンロードされた出力禁止音楽データは、ユーザにより所定代金が支払われて正式に購入されると、チェックアウト・ムーブ可能音楽データに変更されるようになされている。
【０４０６】
クライアント端末２は、例えばユーザにより当該チェックアウト・ムーブ可能音楽データをムーブするためのムーブ操作が行われると、当該チェックアウト・ムーブ可能音楽データに付された属性情報を参照し、これにより当該チェックアウト・ムーブ可能音楽データについてはムーブが許可されている旨を認識し、その結果、当該チェックアウト・ムーブ可能音楽データをハードディスクドライブ２１１から消去しつつ当該チェックアウト・ムーブ可能音楽データを外部機器へ出力するムーブ処理を実行する。
【０４０７】
またクライアント端末２は、ユーザにより操作入力部２００を介して音楽ＣＤに記憶されている音楽データを取り込むための操作（リッピング操作）が行われると、メディアドライブ２０８（図１４）を介して音楽ＣＤから音楽データを読み出し、これをハードディスクドライブ２１１に記憶保持するようにもなされている。
【０４０８】
本実施の形態の場合、音楽ＣＤから読み出されてハードディスクドライブ２１１に記憶された音楽データは、その属性情報においてチェックアウトのみを許可する旨が示されるようになされている（つまりチェックアウト可能音楽データ）。クライアント端末２は、例えばユーザにより当該チェックアウト可能音楽データをチェックアウトするためのチェックアウト操作が行われると、当該チェックアウト可能音楽データに付された属性情報を参照し、これにより当該チェックアウト可能音楽データについてはチェックアウトが許可されている旨を認識し、その結果、当該チェックアウト可能音楽データを外部機器へ貸し出すように出力するチェックアウト処理を実行する。
【０４０９】
以上のようにこの音楽関連サービス提供システム１は、音楽データの再生機能を有するクライアント端末２と、出力禁止音楽データをクライアント端末２に対して提供する音楽データ配信サーバＳＶ１とを有する。
【０４１０】
さらにこの音楽データ配信サーバＳＶ１は、クライアント端末２が所定の契機（本実施の形態の場合、クライアント端末２の電源ＯＮ時）で実行する登録問い合わせに応じて、当該クライアント端末２のユーザが定額料金を支払うように登録されているか否かを判定し、この判定結果をクライアント端末２へ通知するようにもなされている。
【０４１１】
クライアント端末２は、音楽データ配信サーバＳＶ１からの通知に基づいて、ユーザが定額料金を支払うように登録されていることを認識している場合に限り、ハードディスクドライブ２１１に記憶保持している出力禁止音楽データを再生可能にするようにし、これに対してユーザが定額料金を支払うように登録されていない場合は、当該出力禁止音楽データを再生不可能にするようにした。
【０４１２】
このように、クライアント端末２にダウンロードされた出力禁止音楽データは外部機器へ出力されない上、当該クライアント端末２のユーザが定額料金を支払っていなければ再生することができないので、著作権者等の利益を著しく害してしまうことを回避することができる。
【０４１３】
またクライアント端末２は、音楽データ配信サーバＳＶ１から出力禁止音楽データを取得すると、これをハードディスクドライブ２１１に記憶保持し続け、ユーザにより正式購入操作が行われた場合、当該ハードディスクドライブ２１１に記憶保持している出力禁止音楽データの属性情報を書き換えることにより、当該出力禁止音楽データをチェックアウト・ムーブ可能音楽データに変更するようにした。
【０４１４】
これによりクライアント端末２は、ユーザにより正式購入操作が行われたとき、音楽データ配信サーバＳＶ１から正式な音楽データ（チェックアウト及びムーブ可能な音楽データ）を取得する処理を行わなくて良いので、この結果、従来と比べて格段と効率的に音楽データを取得することができる。
【０４１５】
（２−２）登録処理
図１７に示すシーケンスチャートを用いて、出力禁止音楽データ利用サービスの登録が行われる際に実行される登録処理の手順ＲＴ１を説明する。
【０４１６】
クライアント端末２のＣＰＵ２０３は、出力禁止音楽データ利用サービスを利用することを希望するユーザにより登録情報が入力されるとステップＳＰ１５１へ移り、これを音楽データ配信サーバＳＶ１に対して送信する。
【０４１７】
音楽データ配信サーバＳＶ１のＣＰＵ２７０は、クライアント端末２から登録情報を受信するとステップＳＰ１５２へ移り、これを内部のデータベースに登録する。因みに本実施の形態の場合、このデータベースは音楽データ配信サーバＳＶ１のハードディスクドライブ２７２に構築される。
【０４１８】
続いて音楽データ配信サーバＳＶ１のＣＰＵ２７０はステップＳＰ１５３へ移り、出力禁止音楽データ利用サービスの利用を許可する旨を示したサービス利用許可情報を、クライアント端末２に対して送信する。
【０４１９】
クライアント端末２のＣＰＵ２０３は、音楽データ配信サーバＳＶ１からサービス利用許可情報を受信するとステップＳＰ１５４へ移り、出力禁止音楽データ利用サービスが利用可能又は利用不可能かを示すためのサービス利用可否フラグを「利用可能」に設定し、この結果サービス利用可能モードへ遷移する。因みに本実施の形態の場合、このサービス利用可否フラグはソフトウェア的なものである。
【０４２０】
やがてクライアント端末２のユーザから所定の定額料金を徴収すべき所定日（例えば月末）になると、音楽データ配信サーバＳＶ１のＣＰＵ２７０はステップＳＰ１５５へ移り、当該ユーザの登録情報を内部のデータベースから読み出して、これを課金サーバＳＶ５へ送信することにより、課金サーバＳＶ５に対して課金処理を実行するように要求する。
【０４２１】
課金サーバＳＶ５は、音楽データ配信サーバＳＶ１から登録情報を受信するとステップＳＰ１５６へ移り、当該受信した登録情報に基づいてクライアント端末２のユーザから所定の定額料金を徴収する課金処理を実行する。
【０４２２】
そして課金サーバＳＶ５は、当該課金処理を正常に終了すると続くステップＳＰ１５７へ移り、ユーザから所定の定額料金が正常に徴収された旨を示した課金完了情報を、音楽データ配信サーバＳＶ１に対して送信する。
【０４２３】
音楽データ配信サーバＳＶ１のＣＰＵ２７０は、課金サーバＳＶ５から課金完了情報を受信するとステップＳＰ１５８へ移り、当該受信した課金完了情報をユーザの登録情報と対応付けるようにして内部のデータベースに登録する。
【０４２４】
このようにしてクライアント端末２のユーザが、出力禁止音楽データ利用サービスを利用し得るように、音楽データ配信サーバＳＶ１に対して登録されるようになされている。
【０４２５】
（２−３）登録問い合わせ処理
図１８に示すシーケンスチャートを用いて、登録問い合わせ処理の手順ＲＴ２を説明する。
【０４２６】
ユーザによりクライアント端末２の電源が一旦ＯＦＦされた後当該電源がＯＮされる操作が行われると、クライアント端末２のＣＰＵ２０３はステップＳＰ１６１へ移り、サービス利用可否フラグが「利用可能」に設定されているか否かを判定する。
【０４２７】
このステップＳＰ１６１において肯定結果が得られると、このことは、クライアント端末２の電源が前回ＯＮにされていた際、ユーザが出力禁止音楽データ利用サービスを利用し得るユーザとして音楽データ配信サーバＳＶ１に登録されていたことを表しており、このときクライアント端末２のＣＰＵ２０３は、続くステップＳＰ１６２へ移る。
【０４２８】
因みにこのステップＳＰ１６１において否定結果が得られた場合、このことは、クライアント端末２の電源が前回ＯＮにされていた際、ユーザが出力禁止音楽データ利用サービスを利用し得るユーザとして音楽データ配信サーバＳＶ１に登録されていなかったことを表しており、このときクライアント端末２のＣＰＵ２０３は、終了ステップＳＰ１６５へ移って登録問い合わせ処理を終了するようになされている。
【０４２９】
クライアント端末２のＣＰＵ２０３はステップＳＰ１６２において、ユーザが出力禁止音楽データ利用サービスを利用し得るように現在登録されているか否かを、音楽データ配信サーバＳＶ１に対して問い合わせる。本実施の形態の場合クライアント端末２のＣＰＵ２０３は、この問い合わせに際して、クライアント端末２の端末ＩＤ情報を音楽データ配信サーバＳＶ１に対して送信する。
【０４３０】
音楽データ配信サーバＳＶ１のＣＰＵ２７０は、クライアント端末２からの問い合わせとして端末ＩＤ情報を受信するとステップＳＰ１６３へ移って、内部のデータベースを参照することにより、当該受信した端末ＩＤ情報に対応するユーザの登録情報が登録されているか否かを確認する。
【０４３１】
そしてこの確認の結果、例えばかかるユーザの登録情報がデータベースに登録されていることを認識すると、このことは当該ユーザから所定の定額料金を徴収し得る状態であることを意味しているので、音楽データ配信サーバＳＶ１のＣＰＵ２７０は、当該ユーザが出力禁止音楽データ利用サービスを利用し得る旨をクライアント端末２へ通知する。
【０４３２】
これに対し、例えばかかるユーザの登録情報がデータベースに登録されていないことを認識した場合、このことは当該ユーザから所定の定額料金を徴収し得ない状態であることを意味しているので、音楽データ配信サーバＳＶ１のＣＰＵ２７０は、当該ユーザが出力禁止音楽データ利用サービスを利用し得ない旨をクライアント端末２へ通知する。
【０４３３】
クライアント端末２のＣＰＵ２０３は、音楽データ配信サーバＳＶ１からの通知を受けるとステップＳＰ１６４へ移り、当該通知に基づいてユーザが出力禁止音楽データ利用サービスを利用し得る旨を認識すると、サービス利用可否フラグを「利用可能」に設定したままにし、これに対してユーザが出力禁止音楽データ利用サービスを利用し得ない旨を認識すると、サービス利用可否フラグを「利用不可能」に変更するようになされている。
【０４３４】
（２−４）出力禁止音楽データダウンロード処理
図１９に示すシーケンスチャートを用いて、出力禁止音楽データダウンロード処理の手順ＲＴ３を説明する。
【０４３５】
クライアント端末２のＣＰＵ２０３は、ユーザにより操作入力部２００を介して、音楽データ配信サーバＳＶ１から出力禁止音楽データをダウンロードするためのダウンロード操作が行われたときステップＳＰ１７１へ移り、サービス利用可否フラグが「利用可能」に設定されているか否かを確認する。
【０４３６】
ここでクライアント端末２のＣＰＵ２０３は、サービス利用可否フラグが「利用可能」に設定されていることを確認し、これによりサービス利用可能モードにあることを認識すると、続くステップＳＰ１７２へ移り、かかる出力禁止音楽データを送信するように音楽データ配信サーバＳＶ１に対して要求する。
【０４３７】
このとき音楽データ配信サーバＳＶ１のＣＰＵ２７０はステップＳＰ１７３へ移り、かかる要求に応じた出力禁止音楽データをハードディスクドライブ２７２から読み出して、これをクライアント端末２に対して送信する。
【０４３８】
クライアント端末２のＣＰＵ２０３は、音楽データ配信サーバＳＶ１から出力禁止音楽データを受信するとステップＳＰ１７４へ移り、これをハードディスクドライブ２１１へ記憶する。
【０４３９】
このようにして出力禁止音楽データ利用サービスを利用し得るユーザは、自身のクライアント端末２を介して、音楽データ配信サーバＳＶ１から出力禁止音楽データを取得することができる。
【０４４０】
（２−５）正式購入処理手順
図２０に示すシーケンスチャートを用いて、クライアント端末２に記憶保持されている出力禁止音楽データが正式に購入される際に実行される正式購入処理の手順ＲＴ４を説明する。
【０４４１】
ユーザにより操作入力部２００を介して、ハードディスクドライブ２１１に記憶保持されている出力禁止音楽データを正式に購入するための正式購入操作が行われると、クライアント端末２のＣＰＵ２０３はステップＳＰ１７５へ移り、当該出力禁止音楽データを正式に購入する旨を通知するための正式購入通知情報を、音楽データ配信サーバＳＶ１に対して送信する。
【０４４２】
音楽データ配信サーバＳＶ１は、クライアント端末２から正式購入通知情報を受信するとステップＳＰ１７６へ移り、これに基づいて当該出力禁止音楽データについての所定代金をユーザから徴収するための課金処理を実行するように課金サーバＳＶ５に対して要求する。
【０４４３】
このとき課金サーバＳＶ５はステップＳＰ１７７へ移り、音楽データ配信サーバＳＶ１からの要求に応じて課金処理を実行し、当該課金処理を正常に終了すると、この旨を音楽データ配信サーバＳＶ１に通知する。次いで音楽データ配信サーバＳＶ１のＣＰＵ２７０はステップＳＰ１７８へ移り、課金サーバＳＶ５からの通知に基づいて、所定代金がユーザから徴収されたことを認識し、この旨をクライアント端末２に対して通知する。
【０４４４】
クライアント端末２のＣＰＵ２０３はステップＳＰ１７９において、音楽データ配信サーバＳＶ１からのかかる通知に基づきユーザから所定代金が徴収されたことを認識すると、当該出力禁止音楽データの属性情報を書き換え、これにより当該出力禁止音楽データをチェックアウト及びムーブが可能なチェックアウト・ムーブ可能音楽データに変更する。
【０４４５】
このようにして、音楽データ配信サーバＳＶ１からダウンロードされた出力禁止音楽データは、ユーザにより所定代金が支払われて正式に購入されると、チェックアウト・ムーブ可能音楽データに変更されるようになされている。
【０４４６】
（２−６）再生処理
図２１に示すフローチャートを用いて、音楽データを再生する再生処理の手順ＲＴ５を説明する。
【０４４７】
音楽データ配信サーバＳＶ１からダウンロードされた出力禁止音楽データ、ユーザによって正式購入されることにより得られたチェックアウト・ムーブ可能音楽データ、又は音楽ＣＤからリッピングされたチェックアウト可能音楽データのうちの何れかを再生する再生操作が操作入力部２００に対して行われると、クライアント端末２のＣＰＵ２０３はステップＳＰ１８１へ移り、サービス利用可否フラグが「利用可能」に設定されているか否かを確認する。
【０４４８】
このステップＳＰ１８１において否定結果が得られると、このことは、クライアント端末２がサービス利用不可モードにあることを意味しており、このときクライアント端末２のＣＰＵ２０３は、サービス利用不可モードにあるため出力禁止音楽データを再生し得ないことを認識し、ステップＳＰ１８２へ移る。
【０４４９】
そしてクライアント端末２のＣＰＵ２０３はステップＳＰ１８２において、ユーザの再生操作により指定された音楽データが、出力禁止音楽データであるか否かを判定し、ここで肯定結果が得られると、このときステップＳＰ１８３へ移って、当該出力禁止音楽データを再生し得ない旨を示したメッセージを、ディスプレイ２６に表示する。
【０４５０】
これに対しステップＳＰ１８２において否定結果が得られると、このことは、ユーザの再生操作により指定された音楽データが、正式購入されることにより得られたチェックアウト・ムーブ可能音楽データ、又は音楽ＣＤからリッピングされたチェックアウト可能音楽データの何れかであることを意味しており、このときクライアント端末２のＣＰＵ２０３は、ステップＳＰ１８４へ移り、当該チェックアウト・ムーブ可能音楽データ又は当該チェックアウト可能音楽データに対して再生処理を施すことにより、スピーカ３０から音楽を出力する。
【０４５１】
このようにクライアント端末２は、サービス利用不可モードの場合であっても、正式購入されることにより得られたチェックアウト・ムーブ可能音楽データや、音楽ＣＤからリッピングされたチェックアウト可能音楽データについては、再生処理を実行するようになされている。
【０４５２】
一方、ステップＳＰ１８１において肯定結果が得られると、このことは、クライアント端末２がサービス利用可能モードにあることから出力禁止音楽データも再生し得ることを意味しており、このときクライアント端末２のＣＰＵ２０３は、ユーザの再生操作によって指定された出力禁止音楽データ、チェックアウト・ムーブ可能音楽データ又はチェックアウト可能音楽データに対して再生処理を施すことにより、スピーカ３０から音楽を出力する。
【０４５３】
（２−７）チェックアウト処理
図２２に示すフローチャートを用いて、チェックアウト処理の手順ＲＴ６を説明する。
【０４５４】
ユーザによりチェックアウト操作が操作入力部２００に対して行われると、クライアント端末２のＣＰＵ２０３はステップＳＰ１８５へ移り、当該チェックアウト操作により指定された音楽データが、出力禁止音楽データであるか否かを判定する。
【０４５５】
このステップＳＰ１８５において否定結果が得られると、このことは、チェックアウト操作により指定された音楽データが、出力禁止音楽データ以外のチェックアウト可能な音楽データ（チェックアウト・ムーブ可能音楽データやチェックアウト可能音楽データ）であることを意味しており、このときクライアント端末２のＣＰＵ２０３はステップＳＰ１８６へ移り、チェックアウト操作により指定された音楽データを外部機器に対してチェックアウトする。
【０４５６】
これに対しステップＳＰ１８５において肯定結果が得られると、このことは、チェックアウト操作により指定された音楽データが、出力禁止音楽データであることを意味しており、このときクライアント端末２のＣＰＵ２０３はステップＳＰ１８７へ移り、チェックアウト操作により指定された音楽データを外部機器に対してチェックアウトしない。
【０４５７】
（２−８）ムーブ処理
図２３に示すフローチャートを用いて、ムーブ処理の手順ＲＴ７を説明する。
【０４５８】
ユーザによりムーブ操作が操作入力部２００に対して行われると、クライアント端末２のＣＰＵ２０３はステップＳＰ１９１へ移り、当該ムーブ操作により指定された音楽データが、ムーブ可能な音楽データであるか否かを判定する。
【０４５９】
このステップＳＰ１９１において否定結果が得られると、このことは、ムーブ操作により指定された音楽データが、出力禁止音楽データ等のムーブ不可能な音楽データであることを意味しており、このときクライアント端末２のＣＰＵ２０３はステップＳＰ１９２へ移り、当該音楽データをムーブし得ない旨を示したメッセージを、ディスプレイ２６に表示する。
【０４６０】
これに対してステップＳＰ１９１において肯定結果が得られると、このことは、ムーブ操作により指定された音楽データが、チェックアウト・ムーブ可能音楽データ等のムーブ可能な音楽データであることを意味しており、このときクライアント端末２のＣＰＵ２０３はステップＳＰ１９３へ移り、当該音楽データを外部機器に対してムーブする。
【０４６１】
ところで、本実施の形態においてクライアント端末２は、ムーブ可能な音楽データを外部機器へムーブする際、ハードディスクドライブ２１１に記憶保持していた当該音楽データを外部機器へ出力すると同時に、これをハードディスクドライブ２１１から消去してしまうようにしたが、本発明はこれに限らず、例えば当該音楽データを外部機器へムーブする際、当該音楽データの属性情報を書き換えることにより当該音楽データを出力禁止音楽データに変更し、これをハードディスクドライブ２１１に記憶保持させておくようにしても良い。
【０４６２】
（２−９）動作及び効果
以上の構成において、音楽関連サービス提供システム１は、音楽データの再生機能を有するクライアント端末２と、出力禁止音楽データをクライアント端末２に対して提供する音楽データ配信サーバＳＶ１とを有する。
【０４６３】
さらにこの音楽データ配信サーバＳＶ１は、クライアント端末２が所定の契機（本実施の形態の場合、クライアント端末２の電源ＯＮ時）で実行する登録問い合わせに応じて、当該クライアント端末２のユーザが定額料金を支払うように登録されているか否かを判定し、この判定結果をクライアント端末２へ通知するようにもなされている。
【０４６４】
クライアント端末２は、音楽データ配信サーバＳＶ１からの通知に基づいて、ユーザが定額料金を支払うように登録されていることを認識している場合に限り、ハードディスクドライブ２１１に記憶保持している出力禁止音楽データを再生可能にするようにし、これに対してユーザが定額料金を支払うように登録されていない場合は、当該出力禁止音楽データを再生不可能にするようにした。
【０４６５】
このように、クライアント端末２にダウンロードされた出力禁止音楽データは外部機器へ出力されない上、当該クライアント端末２のユーザが定額料金を支払っていなければ再生することができないので、著作権者等の利益を著しく害してしまうことを回避することができる。
【０４６６】
またクライアント端末２は、音楽データ配信サーバＳＶ１から出力禁止音楽データを取得すると、これをハードディスクドライブ２１１に記憶保持し続け、ユーザにより正式購入操作が行われた場合、当該ハードディスクドライブ２１１に記憶保持している出力禁止音楽データの属性情報を書き換えることにより、当該出力禁止音楽データをチェックアウト・ムーブ可能音楽データに変更するようにした。
【０４６７】
これによりクライアント端末２は、ユーザにより正式購入操作が行われたときに、音楽データ配信サーバＳＶ１から正式な音楽データ（チェックアウト及びムーブ可能音楽データ）をダウンロードする処理を行わなくて良いので、この結果、従来と比べて格段と効率的に音楽データを取得することができる。
【０４６８】
以上の構成によれば、クライアント端末２にダウンロードされた音楽データ（出力禁止音楽データ）は正式購入されない限り外部へ出力されず、しかも当該クライアント端末２のユーザが所定の定額料金を支払うように登録されている期間しか再生することができないので、この結果著作権者等の利益を著しく害してしまうことを回避することができ、またクライアント端末２は、当該音楽データをダウンロードするための処理を何度も行わなくて良いので、この結果格段と効率的に音楽データを取得することができる。
【０４６９】
（２−１０）他の実施の形態
なお上述の実施の形態においては、外部機器への出力を一切禁止する旨の属性情報を有する出力禁止音楽データを、音楽データ配信サーバＳＶ１からクライアント端末２にダウンロードさせるようにしたが、これに替えて、少なくとも外部機器へ音楽データの複製物を出力したり音楽データそのものをムーブしたりすることを禁止した上で、外部機器へストリーミング再生用として音楽データを出力することのみを許可する旨の属性情報を有する音楽データ（すなわち、外部機器への記録を禁止した音楽データであり、以下これを外部記録禁止データとも呼ぶ）を、音楽データ配信サーバＳＶ１からクライアント端末２にダウンロードさせるようにしても良い。この場合、クライアント端末２にダウンロードされた外部記録禁止音楽データは、正式購入されない限り外部機器へ記録させることができないので、この結果著作権者等の利益を著しく害してしまうことを回避することができる。
【０４７０】
また上述の実施の形態においては、コンテンツデータとして、音楽データを適用する場合について述べたが、本発明はこれに限らず、映像データやプログラム等であっても良い。
【０４７１】
さらに上述の実施の形態において、音楽データ配信サーバＳＶ１は、クライアント端末２からの登録問い合わせに応じて、当該クライアント端末２のユーザの登録情報がデータベースに登録されているか否かを確認し、この確認の結果、当該ユーザの登録情報がデータベースに登録されているとき、当該ユーザを出力禁止音楽データ利用サービスを利用し得るユーザとして判定し、この判定結果をクライアント端末２へ通知するようにした場合について述べたが、本発明はこれに限らず、例えば音楽データ配信サーバＳＶ１は、クライアント端末２からの登録問い合わせに応じて、当該クライアント端末２のユーザの登録情報がデータベースに登録されているか否かを確認する際、当該登録情報に対応付けられている課金完了情報（決済状況情報）も参照し、当該参照した課金完了情報によって当該ユーザが所定の定額料金を定期的に支払っていることを認識し得たとき、当該ユーザを出力禁止音楽データ利用サービスを利用し得るユーザとして判定するようにしても良い。
【０４７２】
さらに上述の実施の形態においては、コンテンツデータ再生装置として、クライアント端末２を適用する場合について述べたが、本発明はこれに限らず、コンテンツデータを再生する機能を有し、音楽データ配信サーバＳＶ１等と通信し得るものであれば、携帯電話機やＰＤＡ（Personal Digital Assistance）等を適用するようにしても良い。
【０４７３】
さらに上述の実施の形態においては、コンテンツデータ再生装置（クライアント端末２）が登録されているか否かの確認要求をするための確認要求信号（端末ＩＤ情報）を登録確認装置（音楽データ配信サーバＳＶ１）に対して送信する送信手段や、登録確認装置から当該コンテンツデータ再生装置が登録されている旨の登録確認信号を受信する受信手段として、通信処理部２１４及びネットワークインタフェース２１５を適用するようにした場合について述べたが、本発明はこれに限らず、この他種々の構成を適用することができる。
【０４７４】
さらに上述の実施の形態においては、外部出力が禁止されたコンテンツデータ（出力禁止音楽データ）を提供するコンテンツデータ提供装置（音楽データ配信サーバＳＶ１）から取得したコンテンツデータを記憶する記憶手段として、ハードディスクドライブ２１１を適用する場合について述べたが、本発明はこれに限らず、半導体メモリ等の種々の構成を適用することができる。
【０４７５】
さらに上述の実施の形態においては、コンテンツデータを再生可能に設定する設定手段や、所定の入力手段（操作入力部２００）を介して当該コンテンツデータの再生命令が入力されたとき当該コンテンツデータを再生する再生手段や、コンテンツデータの外部出力が禁止されている旨を認識すると当該コンテンツデータを外部出力させないように外部出力手段（外部機器接続部２１６）を制御する出力制御手段として、ＣＰＵ２０３を適用する場合について述べたが、本発明はこれに限らず、この他種々の構成を適用するようにしても良い。
【０４７６】
さらに上述の実施の形態においては、確認要求信号を受信する受信手段や、登録確認信号をコンテンツデータ再生装置に対して送信する送信手段や、コンテンツデータをコンテンツデータ再生装置に対して送信するコンテンツデータ送信手段として、音楽データ配信サーバＳＶ１のネットワークインタフェース７５を適用する場合について述べたが、本発明はこれに限らず、この他種々の構成を適用するようにしても良い。
【０４７７】
さらに上述の実施の形態においては、コンテンツデータ再生装置を識別する装置識別情報（端末ＩＤ情報）と当該コンテンツデータ再生装置のユーザについての決済状況が示された決済状況情報とを対応付けて記憶する第１の記憶手段や、コンテンツデータを記憶保持する第２の記憶手段として、音楽データ配信サーバＳＶ１のハードディスクドライブ２７２を適用する場合について述べたが、本発明はこれに限らず、この他種々の構成を適用することができる。
【０４７８】
さらに上述の実施の形態において、クライアント端末２のＣＰＵ２０３は予めインストールされているプログラム（コンテンツデータ再生プログラム）に従って、また音楽データ配信サーバＳＶ１も予めインストールされているプログラム（登録確認プログラム）に従って、図１７〜図２３に示す各処理手順ＲＴ１〜ＲＴ７をソフトウェア的に実行する場合について述べたが、本発明はこれに限らず、クライアント端末２及び音楽データ配信サーバＳＶ１は、各処理手順ＲＴ１〜ＲＴ７をハードウェア的に実行するようにしても良い。
【産業上の利用可能性】
【０４７９】
本発明は、音楽データを再生し得る再生装置に対しインターネット等の通信路を介して様々な音楽データを提供し得るようになされた音楽データ提供システム等に利用することができる。
【図面の簡単な説明】
【０４８０】
【図１】本実施の形態における音楽関連サービス提供システムの全体構成を示す略線図である。
【図２】クライアント端末の機能回路ブロックによるハードウェア構成を示すブロック図である。
【図３】ディレクトリ構成を示す略線図である。
【図４】ポータルサーバの機能回路ブロックによるハードウェア構成を示すブロック図である。
【図５】音楽データ配信サーバの機能回路ブロックによるハードウェア構成を示すブロック図である。
【図６】物販サーバの機能回路ブロックによるハードウェア構成を示すブロック図である。
【図７】ラジオ放送情報配信サーバの機能回路ブロックによるハードウェア構成を示すブロック図である。
【図８】クライアント端末及びポータルサーバ間のユーザ認証処理手順を示すシーケンスチャートである。
【図９】クライアント端末及び音楽データ配信サーバ間のユーザ認証処理手順を示すシーケンスチャートである。
【図１０】音楽データ配信サービス提供処理手順を示すシーケンスチャートである。
【図１１】物販サービス提供処理手順を示すシーケンスチャートである。
【図１２】ラジオ放送情報（オンエアリスト情報）配信サービス提供処理手順（１）を示すシーケンスチャートである。
【図１３】ラジオ放送情報（ナウオンエア情報）配信サービス提供処理手順（２）を示すシーケンスチャートである。
【図１４】クライアント端末のハードウェア回路ブロックによるハードウェア構成を示すブロック図である。
【図１５】クライアント端末のプログラムモジュールを示す略線図である。
【図１６】各サーバのハードウェア回路ブロックによるハードウェア構成を示すブロック図である。
【図１７】登録処理手順を示すシーケンスチャートである。
【図１８】登録問い合わせ処理手順を示すシーケンスチャートである。
【図１９】出力禁止音楽データダウンロード処理手順を示すシーケンスチャートである。
【図２０】正式購入処理手順を示すシーケンスチャートである。
【図２１】再生処理手順を示すフローチャートである。
【図２２】チェックアウト処理手順を示すフローチャートである。
【図２３】ムーブ処理手順を示すフローチャートである。
【符号の説明】
【０４８１】
１……音楽関連サービス提供システム、２……クライアント端末、ＳＶ１……音楽データ配信サーバ、ＳＶ５……課金サーバ、２０３、２７０……ＣＰＵ、２１４……通信処理部、２１５、２７５……ネットワークインタフェース。
【図１】
2005331680.tif 000003
【図２】
2005331680.tif 000004
【図３】
2005331680.tif 000005
【図４】
2005331680.tif 000006
【図５】
2005331680.tif 000007
【図６】
2005331680.tif 000008
【図７】
2005331680.tif 000009
【図８】
2005331680.tif 000010
【図９】
2005331680.tif 000011
【図１０】
2005331680.tif 000012
【図１１】
2005331680.tif 000013
【図１２】
2005331680.tif 000014
【図１３】
2005331680.tif 000015
【図１４】
2005331680.tif 000016
【図１５】
2005331680.tif 000017
【図１６】
2005331680.tif 000018
【図１７】
2005331680.tif 000019
【図１８】
2005331680.tif 000020
【図１９】
2005331680.tif 000021
【図２０】
2005331680.tif 000022
【図２１】
2005331680.tif 000023
【図２２】
2005331680.tif 000024
【図２３】
2005331680.tif 000025